(57)【特許請求の範囲】
【請求項１】
乾燥機を含み、前記乾燥機の中には押し込み空間が設置され、前記押し込み空間の中にはプッシュプルブロックが設置され、前記プッシュプルブロックの左端面には乾燥筒が磁力によって吸引されるように設置され、前記押し込み空間の左側には乾燥空間が前記押し込み空間と連通するように設置され、前記乾燥筒が前記乾燥空間の中に位置し、かつ前記乾燥筒の外面には突出ブロックが環状に配列され、前記乾燥筒の中には通電可能な加熱ブロックが設置され、前記乾燥筒の内部には乾燥区域が設置され、前記乾燥区域の左端壁には開閉装置が設置され、前記開閉装置によって医薬品を前記乾燥区域に入れることができ、前記加熱ブロックを加熱することにより発生した熱で乾燥を行い、
前記乾燥区域の中にはスプライン軸が回転可能に装着され、前記スプライン軸と前記乾燥筒とがスプラインにより連結され、前記乾燥空間の左側には駆動装置が設置され、前記駆動装置は前記乾燥筒の回転に動力を提供でき、前記乾燥空間の下端壁の中、及び前記プッシュプルブロックの中にはいずれも振動装置が設置され、前記振動装置は前後に設けられ、前記振動装置は昇降可能な押し出しブロックと水平移動可能なプッシュロッドとを含み、前記押し出しブロックが下降する時に前記プッシュロッドは駆動されて移動することができ、前記乾燥筒は回転する時に前記突出ブロックによって前記押し出しブロックを間欠的に下方に押して下降させることで、前記プッシュロッドが前記乾燥筒を押し動かして水平方向に移動させ、そのため、小幅の振動が発生することで前記乾燥区域内部にある医薬品は均一に乾燥し、前記乾燥空間の外周には回し装置が設置され、前記回し装置は回転ベルトを含み、前記回転ベルトには十一個の回しブロックが固定的に設置され、前記回しブロックは前記回転ベルトとともに回転する時に前記乾燥筒を回して間欠的に回転させ、そして医薬品を間欠的にひっくり返して乾燥させることを特徴とする医薬および化学工業用の乾燥装置。
【請求項２】
前記乾燥区域内部の端壁には左右対称となりかつ環状に配列された翻転板が固定的に設置されていることを特徴とする請求項１に記載の医薬および化学工業用の乾燥装置。
【請求項３】
前記開閉装置は開閉溝を含み、
前記開閉溝の上端壁の中には収縮溝が前記開閉溝と連通するように形成され、前記収縮溝の上端壁には開閉モーターが固定的に設置され、前記開閉モーターの下端には回転親ねじが伝動可能に装着され、前記回転親ねじには開閉板がねじ山により連結され、前記開閉板の下端が前記開閉溝に伸びていることを特徴とする請求項１に記載の医薬および化学工業用の乾燥装置。
【請求項４】
前記駆動装置は前記乾燥空間の左端壁の中に装着された主動スプラインスリーブを含み、
前記スプライン軸の左端と前記主動スプラインスリーブとがスプラインにより連結され、前記プッシュプルブロックの中には第二スプラインスリーブが回転可能に設置され、前記第二スプラインスリーブの中にはスライド溝が形成され、前記スプライン軸の右端が前記スライド溝の中に伸びており、かつ前記スプライン軸の上下両端には位置制限ブロックが固定的に設置されていることを特徴とする請求項１に記載の医薬および化学工業用の乾燥装置。
【請求項５】
前記振動装置はプッシュ空間を含み、
前記プッシュロッドが前記プッシュ空間の中にスライド可能に設置され、前記プッシュロッドにはスライドロッドが固定的に設置され、前記スライドロッドにおいて前記乾燥筒に近接する一端には圧力ばねが固定的に設置され、前記プッシュ空間の下側にはスライドロッド溝が前記プッシュ空間と連通するように形成され、前記スライドロッドにおいて前記乾燥筒に近接する一端が前記スライドロッド溝の中に伸びており、
前記スライドロッド溝と前記乾燥空間とが押し出し溝により連通され、前記押し出しブロックが前記押し出し溝の中にスライド可能に設置され、前記押し出しブロックの外面には復帰ばねがカバーするように設置され、前記押し出しブロックの上端は斜面構造で前記乾燥空間の中に伸びており、前記押し出しブロックの下端が前記スライドロッドに当接することを特徴とする請求項１に記載の医薬および化学工業用の乾燥装置。
【請求項６】
前記押し出しブロックが前後に設けられ、前後の前記押し出しブロックの間には前記突出ブロックが一つあることを特徴とする請求項５に記載の医薬および化学工業用の乾燥装置。
【請求項７】
前記回し装置は回転空間を含み、
前記回転空間の右端壁には第一ガイド板が固定的に設置され、前記第一ガイド板の中には三つの第一牽引輪が回転可能に設置され、前記第一牽引輪の中心部には回転軸が固定的に設置され、前記回転空間の左端壁には引っ張り空間が前記回転空間と連通するように設置され、
前記引っ張り空間の左端壁には第二ガイド板が固定的に設置され、前記第二ガイド板の中には第二牽引輪が回転可能に装着され、前記回転軸の左端が上側の前記第二牽引輪の軸心部と固定的に連結され、かつ前記引っ張り空間の左端壁に設置された回転モーターに伝動可能に連結され、前記第二牽引輪と前記第一牽引輪とが前記回転ベルトにより伝動可能に連結され、前記第二ガイド板の内側には固定板が設置され、前記固定板が前記引っ張り空間の中に固定的に装着され、前記回転ベルトが前記固定板の外面に位置することを特徴とする請求項１に記載の医薬および化学工業用の乾燥装置。
【請求項８】
前記固定板と前記回転ベルトとの間にはボールが十個装着されていることを特徴とする請求項７に記載の医薬および化学工業用の乾燥装置。
【発明の詳細な説明】
【技術分野】
【０００１】
本願発明は医薬製造分野に関し、具体的には医薬および化学工業用の乾燥装置である。
【背景技術】
【０００２】
医薬品の乾燥は、医薬製造において必要である。既存の医薬品乾燥装置は、撹拌ロッドを内蔵する乾燥筒を使用して医薬品を乾燥させるが、その撹拌ロッドが回転すると医薬品は砕かれ、破損する恐れがある。また、医薬品は乾燥筒の回転とともに回転すると、炉内の熱吸収率の低下、熱の無駄と乾燥時間の延長を引き起こす可能性もある。さらに、ただ撹拌ロッド又は乾燥筒の回転によっては、医薬品の乾燥は不均一になり、医薬品の特性に影響する。本願発明は上記の問題を解決できる装置を開示する。
【先行技術文献】
【特許文献】
【０００３】
【特許文献１】中国特許出願公開第１０２５８９２６６号明細書
【発明の概要】
【発明が解決しようとする課題】
【０００４】
技術問題：
既存の医薬品乾燥装置は、乾燥が不均一で、熱吸収率が低く、乾燥時間が長く、効率が低下する。
【課題を解決するための手段】
【０００５】
上記の問題を解決するため、医薬および化学工業用の乾燥装置を設計し、本願発明に記載の医薬および化学工業用の乾燥装置は、乾燥機を含み、前記乾燥機の中には押し込み空間が設置され、前記押し込み空間の中にはプッシュプルブロックが設置され、前記プッシュプルブロックの左端面には乾燥筒が磁力によって吸引されるように設置され、前記押し込み空間の左側には乾燥空間が前記押し込み空間と連通するように設置され、前記乾燥筒が前記乾燥空間の中に位置し、かつ前記乾燥筒の外面には突出ブロックが環状に配列され、前記乾燥筒の中には通電可能な加熱ブロックが設置され、前記乾燥筒の内部には乾燥区域が設置され、前記乾燥区域の左端壁には開閉装置が設置され、前記開閉装置によって医薬品を前記乾燥区域に入れることができ、前記加熱ブロックを加熱することにより発生した熱で乾燥を行い、前記乾燥区域の中にはスプライン軸が回転可能に装着され、前記スプライン軸と前記乾燥筒とがスプラインにより連結され、前記乾燥空間の左側には駆動装置が設置され、前記駆動装置は前記乾燥筒の回転に動力を提供でき、前記乾燥空間の下端壁の中、及び前記プッシュプルブロックの中にはいずれも振動装置が設置され、前記振動装置は前後に設けられ、前記振動装置は昇降可能な押し出しブロックと水平移動可能なプッシュロッドとを含み、前記押し出しブロックが下降する時に前記プッシュロッドは駆動されて移動することができ、前記乾燥筒は回転する時に前記突出ブロックによって前記押し出しブロックを間欠的に下方に押して下降させることで、前記プッシュロッドが前記乾燥筒を押し動かして水平方向に移動させ、そのため、小幅の振動が発生することで前記乾燥区域内部にある医薬品は均一に乾燥し、前記乾燥空間の外周には回し装置が設置され、前記回し装置は回転ベルトを含み、前記回転ベルトには十一個の回しブロックが固定的に設置され、前記回しブロックは前記回転ベルトとともに回転する時に前記乾燥筒を回して間欠的に回転させ、そして医薬品を間欠的にひっくり返して乾燥させる。
【０００６】
前記乾燥区域内部の端壁には左右対称となりかつ環状に配列された翻転板が固定的に設置され、前記乾燥筒が回転するとき、前記翻転板は医薬品をひっくり返すことができ、乾燥を均一にする。
【０００７】
前記開閉装置は開閉溝を含み、前記開閉溝の上端壁の中には収縮溝が前記開閉溝と連通するように形成され、前記収縮溝の上端壁には開閉モーターが固定的に設置され、前記開閉モーターの下端には回転親ねじが伝動可能に装着され、前記回転親ねじには開閉板がねじ山により連結され、前記開閉板の下端が前記開閉溝に伸びており、前記開閉溝によって医薬品を前記乾燥区域に入れること又は医薬品を前記乾燥区域から取ることができる。
【０００８】
前記駆動装置は前記乾燥空間の左端壁の中に装着された主動スプラインスリーブを含み、前記スプライン軸の左端と前記主動スプラインスリーブとがスプラインにより連結され、前記プッシュプルブロックの中には第二スプラインスリーブが回転可能に設置され、前記第二スプラインスリーブの中にはスライド溝が形成され、前記スプライン軸の右端が前記スライド溝の中に伸びており、かつ前記スプライン軸の上下両端には位置制限ブロックが固定的に設置され、前記乾燥筒は前記位置制限ブロックに沿って水平移動及び回転運動を行える。
【０００９】
前記振動装置はプッシュ空間を含み、前記プッシュロッドが前記プッシュ空間の中にスライド可能に設置され、前記プッシュロッドにはスライドロッドが固定的に設置され、前記スライドロッドにおいて前記乾燥筒に近接する一端には圧力ばねが固定的に設置され、前記プッシュ空間の下側にはスライドロッド溝が前記プッシュ空間と連通するように形成され、前記スライドロッドにおいて前記乾燥筒に近接する一端が前記スライドロッド溝の中に伸びており、前記スライドロッド溝と前記乾燥空間とが押し出し溝により連通され、前記押し出しブロックが前記押し出し溝の中にスライド可能に設置され、前記押し出しブロックの外面には復帰ばねがカバーするように設置され、前記押し出しブロックの上端は斜面構造で前記乾燥空間の中に伸びており、前記押し出しブロックの下端が前記スライドロッドに当接し、前記押し出しブロックは下降する時に前記スライドロッドを押し動かして前記乾燥筒に近づくように移動させ、前記プッシュロッドが前記乾燥筒を押し動かして移動させることで、前記乾燥筒が水平方向に動揺する。
【００１０】
前記押し出しブロックが前後に設けられ、前後の前記押し出しブロックの間には前記突出ブロックが一つあり、前記突出ブロックが前側の前記押し出しブロックを下方に押すとき、後側の前記押し出しブロックが後側の前記突出ブロックに当接していなく、前側の前記押し出しブロックが前記乾燥筒を押し動かして移動させたあと、後側の前記押し出しブロックが下方に押されて前記プッシュロッドによって前記乾燥筒を押し動かして復帰させる。
【００１１】
前記回し装置は回転空間を含み、前記回転空間の右端壁には第一ガイド板が固定的に設置され、前記第一ガイド板の中には三つの第一牽引輪が回転可能に設置され、前記第一牽引輪の中心部には回転軸が固定的に設置され、前記回転空間の左端壁には引っ張り空間が前記回転空間と連通するように設置され、前記引っ張り空間の左端壁には第二ガイド板が固定的に設置され、前記第二ガイド板の中には第二牽引輪が回転可能に装着され、前記回転軸の左端が上側の前記第二牽引輪の軸心部と固定的に連結され、かつ前記引っ張り空間の左端壁に設置された回転モーターに伝動可能に連結され、前記第二牽引輪と前記第一牽引輪とが前記回転ベルトにより伝動可能に連結され、前記第二ガイド板の内側には固定板が設置され、前記固定板が前記引っ張り空間の中に固定的に装着され、前記回転ベルトが前記固定板の外面に位置し、前記第一ガイド板と前記第二ガイド板によって前記回転ベルトが引っ張られ、前記回転ベルトは回転して前記回しブロックによって前記乾燥筒を回転させることができる。
【００１２】
前記固定板と前記回転ベルトとの間にはボールが十個装着され、前記ボールによって、前記回転ベルトが回転する時に前記固定板との間の摩擦力を弱くし、前記回転ベルトの使用寿命を延ばし、そして、前記回転ベルトの回転に影響しない。
【発明の効果】
【００１３】
本願発明の効果は：本願発明は乾燥待ちの医薬品を水平移動可能かつ回転可能な乾燥筒の中に入れ、加熱ブロックから出た熱で乾燥を行い、乾燥筒が間欠的に回転することによって医薬品をひっくり返して乾燥を均一にし、医薬品をひっくり返さないとき、医薬品が加熱ブロックから出た熱の吸収率を向上させ、乾燥時間を短くし、また、乾燥筒が回転する過程に、振動装置によって乾燥筒が水平方向に振動でき、医薬品は加熱ブロックの内側に均等に敷かれ、そのため、乾燥効率を向上させられる。
【図面の簡単な説明】
【００１４】
下記に図１〜６をあわせて本発明について詳しく説明し、便利に説明するために、下記の方向を以下のように規定する：図１は本発明装置の正面図であり、本願に記載の各方向が、図１と同じ向きに装置を見た際の方向である。
【００１５】
【図１】図１は本願発明の全体構成概略図
【図２】図２は図１におけるＡーＡ方向の構成概略図
【図３】図３は図２におけるＢ―Ｂ方向の構成概略図
【図４】図４は図１におけるＣの拡大構成概略図
【図５】図５は図１におけるＤ―Ｄ方向の構成概略図
【図６】図６は図１におけるＥ―Ｅ方向の構成概略図
【発明を実施するための形態】
【００１６】
本願発明は医薬および化学工業用の乾燥装置に関し、主に医薬品の乾燥作業に使用され、以下、本願発明図面をあわせてさらに説明をする。
【００１７】
本願発明に記載の医薬および化学工業用の乾燥装置は、乾燥機１０を含み、前記乾燥機１０の中には押し込み空間１１が設置され、前記押し込み空間１１の中にはプッシュプルブロック１３が設置され、前記プッシュプルブロック１３の左端面には乾燥筒３０が磁力によって吸引されるように設置され、前記押し込み空間１１の左側には乾燥空間１２が前記押し込み空間１１と連通するように設置され、前記乾燥筒３０が前記乾燥空間１２の中に位置し、かつ前記乾燥筒３０の外面には突出ブロック３９が環状に配列され、前記乾燥筒３０の中には通電可能な加熱ブロック３２が設置され、前記乾燥筒３０の内部には乾燥区域３１が設置され、前記乾燥区域３１の左端壁には開閉装置６０１が設置され、前記開閉装置６０１によって医薬品を前記乾燥区域３１に入れることができ、前記加熱ブロック３２を加熱することにより発生した熱で乾燥を行い、前記乾燥区域３１の中にはスプライン軸２１が回転可能に装着され、前記スプライン軸２１と前記乾燥筒３０とがスプラインにより連結され、前記乾燥空間１２の左側には駆動装置６０２が設置され、前記駆動装置６０２は前記乾燥筒３０の回転に動力を提供でき、前記乾燥空間１２の下端壁の中、及び前記プッシュプルブロック１３の中にはいずれも振動装置６０３が設置され、前記振動装置６０３は前後に設けられ、前記振動装置６０３は昇降可能な押し出しブロック２７と水平移動可能なプッシュロッド２３とを含み、前記押し出しブロック２７が下降する時に前記プッシュロッド２３は駆動されて移動することができ、前記乾燥筒３０は回転する時に前記突出ブロック３９によって前記押し出しブロック２７を間欠的に下方に押して下降させることで、前記プッシュロッド２３が前記乾燥筒３０を押し動かして水平方向に移動させ、そのため、小幅の振動が発生することで前記乾燥区域３１内部にある医薬品は均一に乾燥し、前記乾燥空間１２の外周には回し装置６０４が設置され、前記回し装置６０４は回転ベルト４３を含み、前記回転ベルト４３には十一個の回しブロック４４が固定的に設置され、前記回しブロック４４は前記回転ベルト４３とともに回転する時に前記乾燥筒３０を回して間欠的に回転させ、そして医薬品を間欠的にひっくり返して乾燥させる。
【００１８】
前記乾燥区域３１内部の端壁には左右対称となりかつ環状に配列された翻転板３３が固定的に設置され、前記乾燥筒３０が回転するとき、前記翻転板３３は医薬品をひっくり返すことができ、乾燥を均一にする。
【００１９】
前記開閉装置６０１は開閉溝３５を含み、前記開閉溝３５の上端壁の中には収縮溝３８が前記開閉溝３５と連通するように形成され、前記収縮溝３８の上端壁には開閉モーター３４が固定的に設置され、前記開閉モーター３４の下端には回転親ねじ３７が伝動可能に装着され、前記回転親ねじ３７には開閉板３６がねじ山により連結され、前記開閉板３６の下端が前記開閉溝３５に伸びており、前記開閉溝３５によって医薬品を前記乾燥区域３１に入れること又は医薬品を前記乾燥区域３１から取ることができる。
【００２０】
前記駆動装置６０２は前記乾燥空間１２の左端壁の中に装着された主動スプラインスリーブ５０を含み、前記スプライン軸２１の左端と前記主動スプラインスリーブ５０とがスプラインにより連結され、前記プッシュプルブロック１３の中には第二スプラインスリーブ１８が回転可能に設置され、前記第二スプラインスリーブ１８の中にはスライド溝１９が形成され、前記スプライン軸２１の右端が前記スライド溝１９の中に伸びており、かつ前記スプライン軸２１の上下両端には位置制限ブロック２０が固定的に設置され、前記乾燥筒３０は前記位置制限ブロック２０に沿って水平移動及び回転運動を行える。
【００２１】
前記振動装置６０３はプッシュ空間２２を含み、前記プッシュロッド２３が前記プッシュ空間２２の中にスライド可能に設置され、前記プッシュロッド２３にはスライドロッド２５が固定的に設置され、前記スライドロッド２５において前記乾燥筒３０に近接する一端には圧力ばね２４が固定的に設置され、前記プッシュ空間２２の下側にはスライドロッド溝２９が前記プッシュ空間２２と連通するように形成され、前記スライドロッド２５において前記乾燥筒３０に近接する一端が前記スライドロッド溝２９の中に伸びており、前記スライドロッド溝２９と前記乾燥空間１２とが押し出し溝２６により連通され、前記押し出しブロック２７が前記押し出し溝２６の中にスライド可能に設置され、前記押し出しブロック２７の外面には復帰ばね２８がカバーするように設置され、前記押し出しブロック２７の上端は斜面構造で前記乾燥空間１２の中に伸びており、前記押し出しブロック２７の下端が前記スライドロッド２５に当接し、前記押し出しブロック２７は下降する時に前記スライドロッド２５を押し動かして前記乾燥筒３０に近づくように移動させ、前記プッシュロッド２３が前記乾燥筒３０を押し動かして移動させることで、前記乾燥筒３０が水平方向に動揺する。
【００２２】
前記押し出しブロック２７が前後に設けられ、前後の前記押し出しブロック２７の間には前記突出ブロック３９が一つあり、前記突出ブロック３９が前側の前記押し出しブロック２７を下方に押すとき、後側の前記押し出しブロック２７が後側の前記突出ブロック３９に当接していなく、前側の前記押し出しブロック２７が前記乾燥筒３０を押し動かして移動させたあと、後側の前記押し出しブロック２７が下方に押されて前記プッシュロッド２３によって前記乾燥筒３０を押し動かして復帰させる。
【００２３】
前記回し装置６０４は回転空間４０を含み、前記回転空間４０の右端壁には第一ガイド板５５が固定的に設置され、前記第一ガイド板５５の中には三つの第一牽引輪４２が回転可能に設置され、前記第一牽引輪４２の中心部には回転軸４１が固定的に設置され、前記回転空間４０の左端壁には引っ張り空間４５が前記回転空間４０と連通するように設置され、前記引っ張り空間４５の左端壁には第二ガイド板５６が固定的に設置され、前記第二ガイド板５６の中には第二牽引輪４６が回転可能に装着され、前記回転軸４１の左端が上側の前記第二牽引輪４６の軸心部と固定的に連結され、かつ前記引っ張り空間４５の左端壁に設置された回転モーター４７に伝動可能に連結され、前記第二牽引輪４６と前記第一牽引輪４２とが前記回転ベルト４３により伝動可能に連結され、前記第二ガイド板５６の内側には固定板４９が設置され、前記固定板４９が前記引っ張り空間４５の中に固定的に装着され、前記回転ベルト４３が前記固定板４９の外面に位置し、前記第一ガイド板５５と前記第二ガイド板５６によって前記回転ベルト４３が引っ張られ、前記回転ベルト４３は回転して前記回しブロック４４によって前記乾燥筒３０を回転させることができる。
【００２４】
前記固定板４９と前記回転ベルト４３との間にはボール７０が十個装着され、前記ボール７０によって、前記回転ベルト４３が回転する時に前記固定板４９との間の摩擦力を弱くし、前記回転ベルト４３の使用寿命を延ばし、そして、前記回転ベルト４３の回転に影響しない。
【００２５】
以下、図１〜６をあわせて本願発明の使用手順について詳しく説明する。
【００２６】
はじめに、開閉板３６が開閉溝３５を閉鎖し、前側の押し出しブロック２７と突出ブロック３９とは当接するが、後側の押し出しブロック２７と突出ブロック３９とは当接しなく、乾燥筒３０が回転するとき、突出ブロック３９が前側の押し出しブロック２７を下方に押してから乾燥筒３０を右方に移動させる。
【００２７】
医薬品を乾燥区域３１に入れるとき、右方へプッシュプルブロック１３を引き出し、開閉モーター３４が作動することで回転親ねじ３７が駆動されて回転し、開閉板３６が収縮溝３８の中に位置するまで上昇することで開閉溝３５が開けられ、乾燥待ちの医薬品を開閉溝３５を介して乾燥区域３１の中に入れ、その後、開閉モーター３４が逆転することで開閉板３６が下降して開閉溝３５を閉鎖し、プッシュプルブロック１３が左方に押し動かされることでスプライン軸２１の左端と主動スプラインスリーブ５０とがスプラインにより連結され、この時、位置制限ブロック２０の左端面とスライド溝１９の左端壁とが当接し、
乾燥するとき、加熱ブロック３２に通電して熱が発生し、回転モーター４７が作動することで回転軸４１が駆動されて回転し、第二牽引輪４６と第一牽引輪４２が回転することで、回転ベルト４３が回転し、突出ブロック３９が回しブロック４４に回されて回転し、乾燥筒３０が回転し、翻転板３３が乾燥区域３１の中にある医薬品をひっくり返して乾燥を均一にし、突出ブロック３９が回転するとき、突出ブロック３９がまず前側の押し出しブロック２７を下方に押すことで、前側のスライドロッド２５がプッシュロッド２３を右方に移動させ、乾燥筒３０が押し動かされて右方に移動し、プッシュプルブロック１３が乾燥筒３０を右方に移動させ、この時、圧力ばね２４が圧縮された状態にあり、突出ブロック３９が前側の押し出しブロック２７から離脱したとき、圧力ばね２４の弾性回復力でプッシュロッド２３が復帰し、後側の突出ブロック３９が後側の押し出しブロック２７に当接し、かつ当該押し出しブロック２７を下方に押すとき、後側のスライドロッド２５は左方に移動し、プッシュロッド２３によって乾燥筒３０を押し動かして左方に移動復帰させ、突出ブロック３９が押し出しブロック２７を間欠的に下方に押すことで、乾燥筒３０は水平方向に往復運動を行い、乾燥筒３０は水平方向の振動が発生することによって、乾燥区域３１の中にある医薬品が振動し、乾燥を均一にし、
回しブロック４４の数は突出ブロック３９の数より少ないため、回転ベルト４３は回しブロック４４が突出ブロック３９から離脱するまで回転するとき、乾燥筒３０が回転しなく、そして乾燥区域３１の中にある医薬品は振動も翻転もしなく、医薬品は加熱ブロック３２から出た熱の吸収率が高く、乾燥速度が速くなる。
【００２８】
本願発明の効果は：本願発明は乾燥待ちの医薬品を水平移動可能かつ回転可能な乾燥筒の中に入れ、加熱ブロックから出た熱で乾燥を行い、乾燥筒が間欠的に回転することによって医薬品をひっくり返して乾燥を均一にし、医薬品をひっくり返さないとき、医薬品が加熱ブロックから出た熱の吸収率を向上させ、乾燥時間を短くし、また、乾燥筒が回転する過程に、振動装置によって乾燥筒が水平方向に振動でき、医薬品は加熱ブロックの内側に均等に敷かれ、そのため、乾燥効率を向上させられる。
【００２９】
上記によって、当業者は、本発明の範囲内で動作モードに応じて様々な変更を行うことができる。
【要約】
【課題】本発明は医薬および化学工業用の乾燥装置を開示した。
【解決手段】
乾燥機を含み、前記乾燥機の中には押し込み空間が設置され、前記押し込み空間の中にはプッシュプルブロックが設置され、前記プッシュプルブロックの左端面には乾燥筒が磁力によって吸引されるように設置され、前記押し込み空間の左側には乾燥空間が前記押し込み空間と連通するように設置され、本願発明は乾燥待ちの医薬品を水平移動可能かつ回転可能な乾燥筒の中に入れ、加熱ブロックから出た熱で乾燥を行い、乾燥筒が間欠的に回転することによって医薬品をひっくり返して乾燥を均一にし、医薬品をひっくり返さないとき、医薬品が加熱ブロックから出た熱の吸収率を向上させ、乾燥時間を短くし、また、乾燥筒が回転する過程に、振動装置によって乾燥筒が水平方向に振動でき、医薬品は加熱ブロックの内側に均等に敷かれ、そのため、乾燥効率を向上させられる。
【選択図】図１【図１】
0006764083.tif 000002
【図２】
0006764083.tif 000003
【図３】
0006764083.tif 000004
【図４】
0006764083.tif 000005
【図５】
0006764083.tif 000006
【図６】
0006764083.tif 000007